(57)【要約】      （修正有）【課題】各感光ドラムと露光器とを迅速かつ正確に第１の筐体内の各所定位置に取付けることができる画像形成装置を提供する。【解決手段】画像形成装置は、複数の画像形成プロセスユニット１１Ｙ，１１Ｍ，１１Ｃ，１１ＢＫを一列に収容した第２の筐体１５と、この第２の筐体を第１の筐体１内の取付位置に引込み可能に設けられたスライド部材４と、引込み時に２の筐体を取付位置に位置決め可能な位置決め基準部７とを備える。各画像形成プロセスユニットの感光ドラム１２を、相互位置を変更可能に第２の筐体内に収容するとともに、その軸線に沿って通し穴１３を形成し、第２の筐体が第１の筐体内の取付位置に引込まれた場合に各感光ドラムの通し穴内を挿通して各先端部が第２の筐体側の各軸受部に嵌挿するように複数のドラム軸４１を第１の筐体に回転駆動可能に設ける。【選択図】図５
2004163976.tif 000002
【特許請求の範囲】
【請求項１】
複数の画像形成プロセスユニットを一列に収容した第２の筐体と、この第２の筐体を保持した状態で第１の筐体内の取付位置に引込み可能に設けられたスライド部材と、引込み時に第２の筐体に設けられた位置決め用係合部と係合して上記第２の筐体を取付位置に位置決め可能な位置決め基準部とを備えた画像形成装置において、
前記各画像形成プロセスユニットの感光ドラムを、相互位置を変更可能に前記第２の筐体内に収容するとともに、その軸線に沿って通し穴を形成し、
前記第２の筐体が前記第１の筐体内の取付位置に引込まれた場合に各感光ドラムの通し穴内を挿通して各先端部が第２の筐体側の各軸受部に嵌挿するように複数のドラム軸を前記第１の筐体に回転駆動可能に設け、
各ドラム軸と各感光ドラムとに、前記第２の筐体が前記取付位置に位置決めされた場合に係合して上記各ドラム軸と各感光ドラムとを同期回転可能に連結する係合体を設け、各感光ドラムを露光可能な各露光器を支持体に位置調整可能に装着し、上記支持体を前記第１の筐体に位置決め手段を介して取付けたことを特徴とする画像形成装置。
【請求項２】
前記第１の筐体が、ベース上に立設され前記各ドラム軸を回転支持する起立フレームを有し、この起立フレームをベースの取付部に弾性変形可能な弾性部材を介してねじ締結したことを特徴とする請求項１記載の画像形成装置。
【発明の詳細な説明】
【技術分野】
【０００１】
本発明は、複数の画像形成プロセスユニットを一列に収容した第２の筐体を第１の筐体内の取付位置に引込み可能な画像形成装置に関する。
【背景技術】
【０００２】
従来、例えば、感光ドラム，帯電器，現像器等からなる画像形成プロセスユニットを複数個（４個）タンデム（一列）に並べ，イエロー，マゼンタ，シアン，ブラックに色分けされた４個の露光器により各ユニットの感光ドラムに各色のトナー画像を形成し、かかるトナー画像を用紙に重ねて転写することによりカラー画像を得るようにした画像形成装置が知られている。
【０００３】
すなわち、画像形成装置は、図７に示す如く、各色（イエローＹ，マゼンタＭ，シアンＣ，ブラックＢＫ）ごとの画像形成プロセスユニット１１Ｙ，１１Ｍ，１１Ｃ，１１ＢＫを用紙搬送方向に一列に間隔をおいて配設してなる。１９は定着器である。
【０００４】
画像形成プロセスユニット１１Ｙは、感光ドラム１２と，その周辺機器（例えば、帯電器，現像器，転写器，トナー回収器，除電器等）を含み構成されている。他のユニット１１Ｍ，１１Ｃ，１１ＢＫも同様な構造とされている。
【０００５】
各画像形成プロセスユニット（１１Ｙ，１１Ｍ，１１Ｃ，１１ＢＫ）の上方には、それぞれ露光器（１８Ｙ，１８Ｍ，１８Ｃ，１８ＢＫ）が配設されている。各露光器（１８Ｙ〜１８ＢＫ）は、レーザビームを主走査方向に走査しつつ照射して副走査方向に回転する各感光ドラム１２上に静電潜像を描画する。
【０００６】
用紙カセット５２Ｕ（５２Ｄ）内の用紙は、１枚ずつ給紙ローラ５３Ｕ（５３Ｄ）でピックアップされ、かつ搬送ローラ５４Ｕ（５４Ｄ）とレジストローラ５５との協働によりタイミングを調整して搬送ベルト５６上に給紙される。搬送ベルト５６は、駆動ローラ５７と従動ローラ５８との間に渡設され、Ｘ方向に回行される。
【０００７】
駆動ローラ５７において搬送ベルト５６から分離された用紙は、定着器１９を通り、装置本体１外へ排出される。
【０００８】
かかる装置では、カラー画像データは各色ごとに理論的に分解されかつ各色ごとの露光器（１８Ｙ，１８Ｍ，１８Ｃ，１８ＢＫ）に入力され、各プロセスユニット（１１Ｙ，１１Ｍ，１１Ｃ，１１ＢＫ）で用紙上に各カラー画像が形成されるからフルカラー印刷することができる。
【０００９】
ここにおいて、上記カラー画像形成装置では、図８に示す如く、上記各画像形成プロセスユニット（１１Ｙ〜１１ＢＫ）を上記した所定の位置関係を保ちつつ第２の筐体１５内に収容し、この第２の筐体１５をスライド部材（例えば、一対のスライドレール４，４）を介して第１の筐体１内の取付位置から引出すことにより、用紙搬送路を開放し、ジャム処理やメンテナンスを容易に行えるようにした構造とされている。
【００１０】
具体的には、第１の筐体１は、ベース２Ｂ上に所定距離隔てて対向配設されたフロントフレーム２Ｆおよびリアフレーム２Ｒと，両フレーム（２Ｆ，２Ｒ）を連結する一対の連結部材（３，３）等とから形成されている。各連結部材３の先端部は、それぞれフロントフレーム２Ｆから外方へ突き出して，第２の筐体１５を取付位置に位置決めするための位置決め基準部７を形成している。
【００１１】
この第１の筐体１には、取付位置に位置決め保持された第２の筐体１５内の各感光体ドラム１２と所定の位置関係を持つように各露光器（１８Ｙ〜１８ＢＫ）が調整治具（例えば、微動ステージ，ＣＣＤイメージセンサ）を用いて位置調整されて取付けられている。
【００１２】
フロントフレーム２Ｆには、第２の筐体１５を通すための開口部３Ｗが形成されている。リアフレーム２Ｒには、４個の駆動回転体（例えば、駆動傘歯車２１Ｐ）が各画像形成プロセスユニット（１１Ｙ，１１Ｍ，１１Ｃ，１１ＢＫ）の感光ドラム１２に対応して回転駆動可能に設けられている。各駆動回転体（２１Ｐ）は、それぞれ歯車列等を介して駆動モータに連結されている。
【００１３】
一方、第２の筐体１５には、第１の筐体１内の取付位置に位置決めされた場合に各駆動回転体（２１Ｐ）と同期回転可能に係合（噛合）するように４個の従動回転体（例えば、従動傘歯車３１Ｐ）が設けられている。この第２の筐体１５の前面部１５Ｆには第１の筐体１側の位置決め基準部（７，７）と係合可能な位置決め用係合部（一対の位置決め用穴１７，１７）が設けられている。
【００１４】
スライド部材（４，４）は、第１の筐体１（リアフレーム２Ｒ）にスライド保持部材（６，６）を介して当該筐体１の外部に引出し可能かつ内部に引込み可能に設けられている。スライド部材（４，４）には、第２の筐体１５を固定的に保持可能な保持部５Ｐが設けられている。スライド保持部材（６，６）は、リアフレーム２Ｒに上下方向（Ｈ方向）および左右方向（Ｇ方向）に位置調整可能に装着されている。
【００１５】
したがって、スライド部材（４，４）の保持部５Ｐに第２の筐体１５を保持させ、その状態でスライド部材（４，４）を矢印Ｆ方向に引込むと、第１の筐体１側の位置決め基準部（７，７）が第２の筐体１５側の位置決め用穴（１７，１７）に嵌挿し、当該第２の筐体１５は取付位置に位置決めされる。
【００１６】
こうして、第２の筐体１５が取付位置に位置決めされると、各駆動回転体（２１Ｐ）と各従動回転体（３１Ｐ）とは係合（噛合）する。したがって、各駆動回転体（２１Ｐ）を回転駆動することにより、各ユニット（１１Ｙ〜１１ＢＫ）の感光ドラム１２を回転させてカラー印刷することができる。
【発明の開示】
【発明が解決しようとする課題】
【００１７】
ところで、上記画像形成装置において、スライド部材（４，４）の引込み時に第２の筐体１５側の位置決め用穴（１７，１７）と第１の筐体１側の位置決め基準部（７，７）とを円滑かつ確実に嵌合させるには、スライド部材（４，４）の位置決め基準部（７，７）に対する位置合わせを厳密に行う必要がある。
【００１８】
そのため、従来、組立時にスライド保持部材（６，６）を図８中矢印Ｇ，Ｈ方向に移動させて位置調整を行っているが、かかる調整作業はスライド保持部材（６，６）が狭い第１の筐体１内に収容されていることなどもあって、手間が掛かり過ぎる欠点を有している。
【００１９】
また、第２の筐体１５を位置決め基準部（７，７）と位置決め用穴（１７，１７）との協働により第１の筐体１内の取付位置に位置決めした場合に、第２の筐体１５側の各従動回転体（３１Ｐ）が各駆動回転体（２１Ｐ）と過不足なく係合（噛合）するように各従動回転体（３１Ｐ）〔各感光ドラム１２〕の位置を調整するとともに、当該各感光ドラム１２をそれぞれ平行となるように位置調整する必要があるが、両位置調整を共に十分な精度で行うのは困難で手間が掛かる。
【００２０】
さらに、各露光器（１８Ｙ，１８Ｍ，１８Ｃ，１８ＢＫ）は、専用の調整治具を用いて，対応する各感光体１２と所定の位置関係を持つように、個々に第１の筐体１に取付けるものとしているので、かかる各露光器（１８Ｙ等）の取付作業も手間が掛かる不都合を有している。
【００２１】
本発明は、上述した事情を考慮してなされたもので、第２の筐体を第１の筐体の取付位置に取付けた場合に各感光ドラムを所定位置に正確に位置決め保持して回転駆動することができ、かつ各露光器を各感光ドラムと対応する所定位置に迅速かつ正確に取付けることができる画像形成装置を提供することを目的とする。
【課題を解決するための手段】
【００２２】
請求項１の発明は、複数の画像形成プロセスユニットを一列に収容した第２の筐体と、この第２の筐体を保持した状態で第１の筐体内の取付位置に引込み可能に設けられたスライド部材と、引込み時に第２の筐体に設けられた位置決め用係合部と係合して上記第２の筐体を取付位置に位置決め可能な位置決め基準部とを備えた画像形成装置において、前記各画像形成プロセスユニットの感光ドラムを、相互位置を変更可能に前記第２の筐体内に収容するとともに、その軸線に沿って通し穴を形成し、前記第２の筐体が前記第１の筐体内の取付位置に引込まれた場合に各感光ドラムの通し穴内を挿通して各先端部が第２の筐体側の各軸受部に嵌挿するように複数のドラム軸を前記第１の筐体に回転駆動可能に設け、各ドラム軸と各感光ドラムとに、前記第２の筐体が前記取付位置に位置決めされた場合に係合して上記各ドラム軸と各感光ドラムとを同期回転可能に連結する係合体を設け、各感光ドラムを露光可能な各露光器を支持体に位置調整可能に装着し、上記支持体を前記第１の筐体に位置決め手段を介して取付けたことを特徴とする。
【００２３】
かかる構成の発明では、第２の筐体をスライド部材を介して第１の筐体の取付位置に引込むと、第１の筐体側の各ドラム軸は第２の筐体側の各感光ドラムの通し穴内を挿通し、上記各ドラム軸の先端部は上記第２の筐体に設けられた軸受部に嵌挿される。また、各ドラム軸と各感光ドラムとに設けられた両係合体が係合して、上記各ドラム軸と各感光ドラムとは同期回転可能に連結される。
【００２４】
したがって、第２の筐体を第１の筐体の取付位置に位置決めすると、各画像形成プロセスユニットの感光体は各所定位置に正確に位置決め保持され円滑に回転駆動することができる。
【００２５】
また、各露光器を第１の筐体外で支持体に相互位置等を調整して装着し、しかる後に上記支持体を位置決め手段を介して第１の筐体に取付けることにより、上記各露光器を各感光ドラムと対応する各所定位置に迅速かつ正確に位置決めすることができる。
【００２６】
請求項２の発明は、前記第１の筐体が、ベース上に立設され前記各ドラム軸を回転支持する起立フレームを有し、この起立フレームをベースの取付部に弾性変形可能な弾性部材を介してねじ締結したことを特徴とする。
【００２７】
かかる構成の発明では、起立フレームはベースの取付部に弾性部材を介してねじ締結される。このねじ締結によって起立フレームを変形させようとする力が生じても、この力は弾性部材が弾性変形することにより吸収されるので、起立フレームには伝わらない。
【００２８】
これにより、起立フレームの変形が防止され、各ドラム軸を正規の位置に保持することができる。したがって、各感光ドラム回転時の各ドラム軸の振れを防止することができるとともに、各ドラム軸と軸受部との間の摩擦力による負荷変動を軽減できる。
【００２９】
その結果、各感光ドラムを一段と円滑に回転駆動させることができる。
【発明の効果】
【００３０】
本発明によれば、第２の筐体内の各感光ドラムを所定位置に正確に位置決め保持して円滑に回転駆動することができ、また、各露光器を各感光ドラムと対応する各所定位置に迅速かつ正確に取付けることができる。
【００３１】
さらに、第１の筐体を形成する起立フレームをベースの取付部に弾性部材を介してねじ締結したので、締結時に発生する変形力を弾性部材で吸収して起立フレームの変形を阻止でき、第２の筐体内の各感光ドラムを一段と円滑に回転駆動することができる。
【発明を実施するための最良の形態】
【００３２】
以下、本発明の実施形態を図面を参照して説明する。
【００３３】
（第１の実施形態）
本画像形成装置は、図１〜図４に示す如く、基本的構成は従来例（図７，図８）と同様であるが、スライド部材（４，４）の保持部５に第２の筐体１５をいわゆるガタを持たせて保持可能に構成されている。
【００３４】
なお、従来例（図７，図８）と共通する構成要素については同一の符号を付し、その説明を簡略化又は省略する。
【００３５】
スライド部材（４，４）の保持部５は、第２の筐体１５を位置決め基準部（７，７）に対する位置を変更可能に保持するものとされている。この実施形態では、保持部５は、第２の筐体１５の両側面に突設された一対の支持用ピン（１６，１６）をいわゆるガタをもって保持可能な穴付き支持板（８，８）から形成されている。
【００３６】
支持板（８，８）には、図２（Ａ），（Ｂ）に示す如く、第２の筐体１５の支持用ピン（１６，１６）を上下方向（Ｈ方向）および左右方向（Ｇ方向）に移動可能かつ矢印Ｊ方向に揺動可能に保持する穴（８ｈ，８ｈ）が形成されている。
【００３７】
なお、各画像形成プロセスユニット（１１Ｙ，１１Ｍ，１１Ｃ，１１ＢＫ）の感光ドラム１２には、図１および図３に示す如く、その軸線に沿って通し穴１３が形成されているとともに、その一端部には従動回転体（例えば、スプライン軸部材３１）が直結されている。
【００３８】
また、第１の筐体１内には、スライド部材（４，４）を介して第２の筐体１５が第１の筐体１内の取付位置に引込まれた場合に各感光ドラム１２の通し穴１３内を挿通して各先端部が第２の筐体１５側の各軸受部４９と嵌挿する複数のドラム軸４１が設けられている。
【００３９】
各ドラム軸４１は、図３に示す如く、リアフレーム２Ｒにそれぞれ軸受部４８を介して回転支持されており、図示しない動力伝達機構を介して連結された駆動モータによって回転駆動される。なお、各ドラム軸４１は、各感光ドラム１２の通し穴１３よりも若干直径が小さく，かつ感光ドラム１２の軸線方向長さよりも長く形成されている。
【００４０】
また、各ドラム軸４１には、それぞれ駆動回転体（例えば、スプライン穴部材２１）が軸線方向にのみ移動可能に装着されている。各駆動回転体（２１）には、対応する従動回転体（３１）と噛合可能なスプライン穴部２２が開口形成されている。
【００４１】
各駆動回転体（２１）とリアフレーム２Ｒとの間には、付勢ばね２６が介装されている。この付勢ばね２６は、駆動回転体（２１）と従動回転体（３１）とが噛合した状態で第２の筐体１５を押圧して第１の筐体１内の所定位置に位置決め保持するものとされている。
【００４２】
次に、この実施形態の作用について説明する。第２の筐体１５を第１の筐体１内の取付位置に位置決め保持するには、第２の筐体１５の各支持用ピン１６を各支持板８の対応する穴８ｈに嵌挿させることにより、第２の筐体１５をスライド部材（４，４）に保持させる。
【００４３】
続いて、その保持状態で第２の筐体１５を第１の筐体１側へ押込む。すると、第２の筐体１５は、スライド部材（４，４）によって保持されつつ第１の筐体１内に引込まれる。この第２の筐体１５の引込み動作によって、第１の筐体１側の各ドラム軸４１は第２の筐体１５内に収容された各感光ドラム１２の通し穴１３に挿入され相対移動する。
【００４４】
そして、第２の筐体１５の位置決め用穴（１７，１７）が第１の筐体１側の位置決め基準部（７，７）に接近したところで、第２の筐体１５の押込みを一旦停止し、位置決め用穴（１７，１７）と位置決め基準部（７，７）とが整合しているか確認する。
【００４５】
整合している場合には、第２の筐体１５を、そのまま押込んで位置決め用穴（１７，１７）と位置決め基準部（７，７）とを嵌合させる。これにより、各従動回転体（３１）が各駆動回転体（２１）と噛合し、第２の筐体１５は第１の筐体１内の取付位置に位置決め保持される。この際、各ドラム軸４１の先端部は第２の筐体１５の軸受部４９に嵌挿され、その結果、当該各ドラム軸４１は両端支持されることになるので、第２の筐体１５は安定的に取付位置に保持される。
【００４６】
なお、スライド部材（４，４）の引込み中、第２の筐体１５は、スライド部材（４，４）にＧ，Ｈ，Ｊ方向にガタをもって保持されているので、当該スライド部材（４，４）をＧ，Ｈ，Ｊ方向に位置規制しない。したがって、スライド部材（４，４）は、スライド保持部材（６，６）と無理なく摺動し、不快な擦れ音等は発生しない。
【００４７】
整合していない場合には、第２の筐体１５をＧ，Ｈ方向に移動させたりＪ方向に揺動させるなどして位置決め用穴（１７，１７）と位置決め基準部（７，７）とを整合させ、その状態で第２の筐体１５を押し込む。
【００４８】
しかして、この第１の実施形態によれば、スライド部材（４，４）の保持部５を、第２の筐体１５を位置決め基準部（７，７）に対する位置を変更可能に保持する構成としたので、第２の筐体１５を第１の筐体１内の取付位置に円滑かつ正確に位置決め保持できる。したがって、組立時間を短縮して製造コストを低減できる。
【００４９】
また、第２の筐体１５を取付位置に正確に位置決め保持できるので、各画像形成プロセスユニット（１１Ｙ〜１１ＢＫ）の感光ドラム１２と露光器（１８Ｙ〜１８ＢＫ）等との相対位置精度が高まり、画像品質を向上することができる。
【００５０】
さらに、第２の筐体１５は、スライド部材（４，４）にガタをもって保持されるので、当該スライド部材（４，４）を位置規制しない。したがって、スライド部材（４，４）は、スライド保持部材（６，６）と無理なく摺動し、不快な擦れ音等は発生しない。
【００５１】
さらにまた、保持部５を、一対の支持板（８，８）で形成したので、構成が複雑化，大型化しない。
【００５２】
なお、図４に示す如く、プレス加工（穴開け加工等）されて各ドラム軸４１の通し穴４１ｈおよび連結部材用取付穴３ｈが形成されたリアフレーム２Ｒを利用して、第２の筐体１５の後部１５Ｒおよび前面部１５Ｆを製作すれば、各穴４１ｈ（３ｈ）間の位置は同一となり各ドラム軸４１を各感光ドラム１２の通し穴１３に一段と円滑かつ確実に挿通させることができる。また、位置決め用穴１７と位置決め基準部７とを一段と円滑かつ確実に係合させることができる。
【００５３】
（第２の実施形態）
第２の実施形態は、図５に示される。この第２の実施形態に係る画像形成装置は、第１の筐体１の所定位置に位置決め保持された各感光ドラム１２を露光可能な各露光器（１８Ｙ，１８Ｍ，１８Ｃ，１８ＢＫ）を支持体（例えば、サブフレーム６１）に位置調整可能に装着し、該支持部材（６１）を位置決め手段７１を介して第１の筐体１に装着した構成とされている。
【００５４】
なお、第１の実施形態（図１〜図４）と共通する構成要素については同一の符号を付し、その説明を簡略化又は省略する。
【００５５】
サブフレーム６１は、各露光器（１８Ｙ，１８Ｍ，１８Ｃ，１８ＢＫ）をねじ等の固定手段を用いて位置調整可能に形成されている。
【００５６】
位置決め手段７１は、第１の筐体１のフロントフレーム２Ｆおよびリアフレーム２Ｒにそれぞれ両端部が支持された複数個（例えば、３個）の支持シャフト（７２，７３，７４）と、支持シャフト（７４）に設けられサブフレーム６１に形成された位置決め穴（７６，７６）と嵌合可能な位置決めピン（６６，６６）とを含み、サブフレーム６１に装着された位置調整済みの各露光器（１８Ｙ，１８Ｍ，１８Ｃ，１８ＢＫ）を対応する各感光ドラム１２と所定の位置関係を持つ位置に位置決め可能に形成されている。
【００５７】
ここにおいて、各露光器（１８Ｙ〜１８ＢＫ）は、サブフレーム６１に仮止めされ、位置調整治具（例えば、センサ治具６５）によって各走査線の平行度のバラツキ，主走査幅のバラツキが許容範囲内に収まるように位置調整された後固定される。
【００５８】
そして、このサブフレーム６１は、位置決め手段７１によって左右・前後・上下方向に位置決めされて第１の筐体１に取付けられる。
【００５９】
しかして、この第２の実施形態によれば、各露光器（１８Ｙ〜１８ＢＫ）をサブフレーム６１に位置調整して装着し、当該サブフレーム６１を位置決め手段７１を用いて第１の筐体１に取付けるので、各露光器（１８Ｙ〜１８ＢＫ）を各感光ドラム１２と対応する所定位置に迅速かつ正確に取付けることができる。
【００６０】
また、組立工数が減少し、コスト低減を図ることができる。
【００６１】
なお、この第２の実施形態では、第１の筐体１を形成する起立フレーム（２Ｆ，２Ｒ）はベース２Ｂ上に設けられた複数個（例えば、４個）取付部９に弾性部材（８１）を介してねじ締結されている。
【００６２】
具体的には、ベース２Ｂには、各取付部９が前後左右方向にそれぞれ離隔して突設されており、各取付部９にはねじ８５を通すための通し穴９ｈが形成されている（図５では、手前側の取付部９のみを図示している）。
【００６３】
弾性部材としての複数個（４個）のカラー８１は、ゴム製とされており、ねじ８５を被嵌可能に円筒状に形成されている。各カラー８１は、長さおよび素材が等しく、同一の弾性特性を有するものとされている。
【００６４】
なお、フロントフレーム２Ｆおよびリアフレーム２Ｒの各取付部９と対応する部分には、図６に示す如く、ねじ８５と螺合可能な雌ねじ８６が螺設されている。
【００６５】
各フレーム（２Ｆ，２Ｒ）は、ベース２Ｂの各取付部９に各カラー８１を介してねじ８５を雌ねじ８６と螺合して締め付けることにより固定される。ここにおいて、このねじ締結によって各フレーム（２Ｆ，２Ｒ）を変形させようとする力が生じても、該力は各カラー８１が弾性変形することにより吸収されるので、各フレーム（２Ｆ，２Ｒ）には伝わらない。
【００６６】
これにより、各フレーム（２Ｆ，２Ｒ）の変形が防止され、各ドラム軸４１（位置決め基準部７）を正規の位置に保持することができる。したがって、各感光ドラム１２回転時の各ドラム軸４１の振れを防止することができるとともに、各ドラム軸４１と軸受部４９との間の摩擦力による負荷変動を軽減できる。その結果、各感光ドラム１２を一段と円滑に回転駆動できる。
【図面の簡単な説明】
【００６７】
【図１】画像形成装置の第１の実施形態を説明するための斜視図である。
【図２】同じく、前記画像形成装置のスライド部材の保持部を説明するための図である。
【図３】同じく、前記画像形成装置の第２の筐体を第１の筐体内の取付位置に位置決めした状態を示す図である。
【図４】同じく、前記画像形成装置の第１の筐体のリアフレームを利用して第２の筐体の前面部および後部を製作する方法を説明するための図である。
【図５】本発明に係る画像形成装置の第２の実施形態を説明するための図である。
【図６】同じく、前記画像形成装置の第１の筐体のフレームとベースとをねじ締結した様子を示す図である。
【図７】従来の画像形成装置の構成を説明するための図である。
【図８】同じく、従来の画像形成装置の第１，第２の筐体とスライド部材との位置関係を説明するための図である。
【符号の説明】
【００６８】
１  第１の筐体
２Ｆ  フロントフレーム
２Ｒ  リアフレーム
４  スライド部材
５  保持部
８  支持板
７  位置決め基準部
１１Ｙ，１１Ｍ，１１Ｃ，１１ＢＫ  画像形成プロセスユニット
１２  感光ドラム
１５  第２の筐体
１６  支持用ピン
１７  位置決め用穴（位置決め用係合部）
２１  スプライン穴部材（駆動回転体）
３１  スプライン軸部材（従動回転体）
４１  ドラム軸
４９  軸受部
６１  サブフレーム（支持体）
７１  位置決め手段
８１  カラー（弾性部材）
【図１】
2004163976.tif 000003
【図２】
2004163976.tif 000004
【図３】
2004163976.tif 000005
【図４】
2004163976.tif 000006
【図５】
2004163976.tif 000007
【図６】
2004163976.tif 000008
【図７】
2004163976.tif 000009
【図８】
2004163976.tif 000010
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
複数の画像形成プロセスユニットを一列に収容した第２の筐体と、この第２の筐体を保持した状態で第１の筐体内の取付位置に引込み可能に設けられたスライド部材と、引込み時に第２の筐体に設けられた位置決め用係合部と係合して上記第２の筐体を取付位置に位置決め可能な位置決め基準部とを備えた画像形成装置において、
前記各画像形成プロセスユニットの感光ドラムを、相互位置を変更可能に前記第２の筐体内に収容するとともに、その軸線に沿って通し穴を形成し、
前記第２の筐体が前記第１の筐体内の取付位置に引込まれた場合に各感光ドラムの通し穴内を挿通して各先端部が第２の筐体側の各軸受部に嵌挿するように複数のドラム軸を前記第１の筐体に回転駆動可能に設け、
各ドラム軸と各感光ドラムとに、前記第２の筐体が前記取付位置に位置決めされた場合に係合して上記各ドラム軸と各感光ドラムとを同期回転可能に連結する係合体を設け、各感光ドラムを露光可能な各露光器を位置調整可能に装着する上記支持体を前記第１の筐体に取付けたことを特徴とする画像形成装置。
【請求項２】
前記支持体は、前記第１の筐体に位置決め手段を介して取付けられたことを特徴とする請求項１記載の画像形成装置。
【請求項３】
前記第１の筐体が、ベース上に立設され前記各ドラム軸を回転支持する起立フレームを有し、この起立フレームをベースの取付部に弾性変形可能な弾性部材を介してねじ締結したことを特徴とする請求項１記載の画像形成装置。
【手続補正２】
【補正対象書類名】明細書
【補正対象項目名】００２２
【補正方法】変更
【補正の内容】
【００２２】
請求項１の発明は、複数の画像形成プロセスユニットを一列に収容した第２の筐体と、この第２の筐体を保持した状態で第１の筐体内の取付位置に引込み可能に設けられたスライド部材と、引込み時に第２の筐体に設けられた位置決め用係合部と係合して上記第２の筐体を取付位置に位置決め可能な位置決め基準部とを備えた画像形成装置において、前記各画像形成プロセスユニットの感光ドラムを、相互位置を変更可能に前記第２の筐体内に収容するとともに、その軸線に沿って通し穴を形成し、前記第２の筐体が前記第１の筐体内の取付位置に引込まれた場合に各感光ドラムの通し穴内を挿通して各先端部が第２の筐体側の各軸受部に嵌挿するように複数のドラム軸を前記第１の筐体に回転駆動可能に設け、各ドラム軸と各感光ドラムとに、前記第２の筐体が前記取付位置に位置決めされた場合に係合して上記各ドラム軸と各感光ドラムとを同期回転可能に連結する係合体を設け、各感光ドラムを露光可能な各露光器を位置調整可能に装着する上記支持体を前記第１の筐体に取付けたことを特徴とする。
【手続補正３】
【補正対象書類名】明細書
【補正対象項目名】００２５
【補正方法】変更
【補正の内容】
【００２５】
また、請求項２の発明では、前記支持体は、前記第１の筐体に位置決め手段を介して取付けられたことを特徴とする。
各露光器を第１の筐体外で支持体に相互位置等を調整して装着し、しかる後に上記支持体を第１の筐体に取付けることにより、上記各露光器を各感光ドラムと対応する各所定位置に迅速かつ正確に位置決めすることができる。
【手続補正４】
【補正対象書類名】明細書
【補正対象項目名】００２６
【補正方法】変更
【補正の内容】
【００２６】
請求項３の発明は、前記第１の筐体が、ベース上に立設され前記各ドラム軸を回転支持する起立フレームを有し、この起立フレームをベースの取付部に弾性変形可能な弾性部材を介してねじ締結したことを特徴とする。